(57)【要約】【課題】本発明は、心線に発生する初期伸びによる歯付ベルトの張力低下を抑え、初期稼動時（初期伸び収束後）、歯付ベルトの張力を張り直す必要のない歯付ベルトを提供することを目的とする。【解決手段】  心線を有する歯付ベルトにおいて、前記心線を構成している複数本の素線の相互間の間隙を、樹脂材製の充填材により埋めたことを特徴とする。【選択図】  図１
2010185487.tif 000002
【特許請求の範囲】
【請求項１】
心線（１１）を有する歯付ベルト（１）において、前記心線（１１）を構成している複数本の素線（１２）の相互間の間隙（Ｘ）を、樹脂材製の充填材（１４）により埋めたことを特徴とする歯付ベルト。
【請求項２】
前記心線（１１）の外表面（１１０）も前記充填材（１４）により被覆されていることを特徴とする請求項１記載の歯付ベルト。
【請求項３】
前記心線（１１）が、複数本のスチールコード（１２１）により構成される前記素線（１２）を、更に複数本撚り合わせて構成されていることを特徴とする請求項１または２記載の歯付ベルト。
【請求項４】
前記歯付ベルト（１）の本体（１３）及び前記充填材（１４）が無黄変透明ポリウレタン材であることを特徴とする請求項１〜３のいずれか一項に記載の歯付ベルト。
【請求項５】
前記ポリウレタン材の硬度がＪＩＳ  Ａ８０〜９５であることを特徴とする請求項４記載の歯付ベルト。
【請求項６】
前記充填材（１４）が、ポリウレタン材に蛍光顔料を混ぜた材料であることを特徴とする請求項１〜５のいずれか一項に記載の歯付ベルト。
【請求項７】
前記充填材（１４）が、ポリウレタン材に蓄光顔料を混ぜた材料であることを特徴とする請求項１〜５のいずれか一項に記載の歯付ベルト。
【請求項８】
前記歯付ベルト（１）の歯部（２）側表面に織布（１５）一体的に埋設してあることを特徴とする請求項１〜７のいずれか一項に記載の歯付ベルト。
【発明の詳細な説明】
【技術分野】
【０００１】
本発明は、歯付ベルトに関する。
また、本発明は、使用による張力低下の少ない心線を有する歯付ベルトに関する。
【背景技術】
【０００２】
従来、歯付ベルトは、図４および図５に示す方法で製作されている。
すなわち、図４に示すように、歯付ベルトの製造装置は、基本的には三個の回転ローラ１０、１０、１０と、上側の二つの回転ローラ１０、１０相互間に配設され、且つ、図５に示す様に、凹み部形成突起３１の先端周面の略中央に、軸方向に伸びる一本の突起３１１を有する歯付金型３と、これら回転ローラ１０，１０を利用して張設されたベルト２０とから構成されている。
【０００３】
ここで、図上下側の回転ローラ１０はベルト２０用のテンションローラとし機能し、このローラにより不使用時には、ベルト２０が歯付金型３０の歯先に圧接し、液状の弾性材が歯付金型３０とベルト２０との間隙Ｘに流し込まれた使用状態のときには、これら相互間に弾性材が挟まって一定の距離が保たれるようにしてある。
【０００４】
この装置では、図４に示すように、歯付金型３０とベルト２０との間に心線１１０を挿入介在させ、ベルト２０を回転させるべく回転ローラ１０を回転させながら、間隙Ｘに液状の弾性材を流し込むようにして歯付ベルト５０を完成させる。
完成した歯付ベルト５０は、突起３１１の存在により、図３に示す如く心線１１０が位置決めされた状態で埋設された（歯底面から一定の距離を有する）ものとなっている。
【０００５】
そして、この様に作成される歯付ベルトは、ベルトの強度の確保および張力設定時の伸びを抑えるためベルト本体内に心線１１０が使用されている。
しかし、この心線１１０は、複数本の素線が撚られて構成されているため、心線１１０は他の一般的なワイヤーの例にもれず、使用開始後数日の間に、心線１１０を構成している素線間の遊びが締まる過程において、心線１１０に伸びが発生する。
【０００６】
この結果、心線１１０に発生する初期伸びにより、歯付ベルトは、１０〜２０％程度の張力低下を惹起していた。
このため、初期稼動時（初期伸び収束後）、ユーザーにて、歯付ベルトの張力を張り直す手間がかかっていた。
【先行技術文献】
【特許文献】
【０００７】
【特許文献１】特開平５−３３８７５２号公報
【特許文献２】実公昭６２−４３１６２号公報
【発明の概要】
【発明が解決しようとする課題】
【０００８】
本発明は、このような課題に鑑みてなされたものであり、心線に発生する初期伸びによる歯付ベルトの張力低下を抑え、初期稼動時（初期伸び収束後）、歯付ベルトの張力を張り直す必要のない歯付ベルトを提供することである。
【課題を解決するための手段】
【０００９】
本発明の歯付ベルトは、心線を有する歯付ベルトにおいて、前記心線を構成している複数本の素線の相互間の間隙を、樹脂材製の充填材により埋めたことを特徴とする。
【発明の効果】
【００１０】
本発明は、以下に記載されるような効果を奏する。
請求項１記載の発明の歯付ベルトによれば、心線に発生する初期伸びによる歯付ベルトの張力低下を抑え、初期稼動時（初期伸び収束後）、歯付ベルトの張力を張り直す必要がない。
また、請求項２記載の発明の歯付ベルトによれば、心線に接着剤処理を施さなくとも、心線と歯付ベルト本体とを強固に一体化することが出来る。
【００１１】
更に、請求項３記載の発明の歯付ベルトによれば、歯付ベルトの張力を長期間に渡って維持することが出来る。
更に、請求項４記載の発明の歯付ベルトによれば、心線と歯付ベルト本体とをより強固に一体化することが出来ると共に、歯付ベルトの機械的強度を増すことができる。
更に、請求項５記載の発明の歯付ベルトによれば、歯付ベルトの伸びを低く抑えることが出来ると共に、歯付ベルトの摩耗・損傷を防ぐことが出来る。
【００１２】
更に、請求項６記載の発明の歯付ベルトによれば、心線の間隙に、樹脂材製の充填材が完全に行き渡っているか否かの検査時に、紫外線ランプを照射することのより、容易に、目視で判別することができる。
更に、請求項７記載の発明の歯付ベルトによれば、心線の間隙に、樹脂材製の充填材が完全に行き渡っているか否かの検査時に、暗所で、容易に、目視で判別することができると共に、暗所での作業を余儀なくされる場合においても、歯付ベルトの位置が確認できる為、作業がし易い。
【００１３】
更に、請求項８記載の発明の歯付ベルトによれば、歯付ベルトの歯部側表面の摩耗を低く抑えると共に、歯付ベルトの伸びを低く抑える効果を発揮する。
【図面の簡単な説明】
【００１４】
【図１】本発明にかかる歯付ベルトの部分断面図である。
【図２】図１に使用された心線単体の断面拡大図である。
【図３】本発明の比較試験に用いた試験装置の概念図である。
【図４】歯付ベルトの製造方法の一例を示す装置の概念図である。
【図５】図４の装置の部分断面図である。
【発明を実施するための形態】
【００１５】
以下、本発明を実施するための最良の形態について説明する。
図１及び図２に基づき、発明を実施するための一例について説明する。
この種歯付ベルトは、上述の従来技術で説明した製造方法により、図１に示す歯付ベルトを製造するものである。
【００１６】
歯付ベルト本体１３を形成する弾製材としては、各種のゴム状若しくは樹脂状弾性材が使用されるが、本発明に係る歯付ベルトでは、ポリウレタンを使用した。
また、ポリウレタンの内、特に、無黄変透明ポリウレタン材が好ましく、ポリウレタン材の硬度は、ＪＩＳ  Ａ８０〜９５の範囲のものが好適に用いられる。
更に、ポリウレタン材に蛍光顔料、若しくは、蓄光顔料を混ぜた材料が使用される。
そして、心線１１は、スチールコードやアラミド繊維等が使用されるが、本発明に係る歯付ベルトでは、心線にスチールコードを使用した。
また、心線１１は、歯付ベルトの縦方向に対し、複数本が互いに平行で、等間隔に存在する。
【００１７】
そして、図１に示す、歯部２が等間隔に設けられ、歯付ベルト１の歯部２側表面には織布が一体的に埋設されている。
また、図２に示す様に、本発明に使用する心線１１は、スチールコード１２１を７本束ねて素線１２を構成し、更に、この７本の素線１２を撚り合わせた構成となっている。
この結果、素線１２、１２相互間には、不可避的に間隙Ｘが存在することになる。
そこで、予め、心線１１を構成している複数本の素線１２の相互間の間隙Ｘを、樹脂材製の充填材１４により埋めている。
【００１８】
この充填材１４の充填方法は、ポリウレタン溶液に心線１１を浸漬後、乾燥・硬化させることにより行われる。
浸漬工程において、減圧を行うことにより、より迅速、確実に、ポリウレタン溶液を間隙Ｘに浸透させることが出来る。
この結果、充填材１４であるポリウレタンは、間隙Ｘに留まらず、素線１２（スチールコード１２１）の外表面１１０も被覆する結果となっている。
このため、心線１１に接着剤処理を施さなくとも、心線１１とポリウレタン材製の歯付ベルト本体１３とを強固に一体化することが出来る。
この充填材１４に使用される材料は、上記した歯付ベルト本体１３を形成する弾製材と同じ材料が使用されるが、充填材１４の場合は、ポリウレタン材に、更に、蛍光顔料、若しくは、蓄光顔料を混ぜた材料が使用される。
【００１９】
この様に、蛍光顔料、若しくは、蓄光顔料を使用することにより、心線１１の間隙Ｘに、樹脂材製の充填材１４が完全に行き渡っているか否かの検査時に、紫外線ランプを照射することにより、容易に目視で判別することが出来ると共に、暗所でも、容易に目視で判別することができ、暗所での作業を余儀なくされる場合においても、歯付ベルトの位置が確認できる等の効果を発揮する。
【００２０】
この様にして得られた本発明に係る製品と従来品との製品評価及び心線１１の単体評価を、以下の条件で、図３に示す試験装置を用いて行った。
＜製品評価＞
試験装置３は、歯付ベルト１の両端を固定冶具３１、３１により固定すると共に、プーリ３２に懸架し、このプーリ３２の両サイドをアイドラ平プーリ３３，３３が挟持する形で配置されている。
そして、このプーリ３２及びアイドラ平プーリ３３，３３を一体として、固定冶具３１、３１間を平行に往復動させるものである。
このときに使用されたサンプルは、心線１１として、直径０．１０ｍｍのスチールコード１２１を７本束ねて素線１２とし、この素線１２を７本、普通に撚り合せたものを使用した、ポリウレタン材製の本発明品に係る歯付ベルトと、心線１１に充填材１４を使用していない比較品とを比べた。尚、充填材１４としては、本体１３と同じポリウレタンを使用した。
試験条件は、試験速度２．１４ｍ／ｓ、試験荷重５０ｋｇ、定速時移動距離３８５ｍｍで、歯付ベルト１と相手部材であるプーリ３２との間で、往復動作を繰り返した。
試験結果は、以下の通りである。
【００２１】
試験サンプル 往復回数 張力低下率（％）
本発明品            ３０万回            ５〜６
１００万回            ８〜９
比較品              ３０万回          １１〜１２
１００万回          １５〜１６
この試験結果から明らかの様に、本発明品は、従来品（比較品）に比べ、約５０％の張力低下の改善が見られた。
【００２２】
＜心線単体評価＞
基長２００ｍｍのこのときに使用されたサンプルは、心線１１として、直径０．１０ｍｍのスチールコード１２１を７本束ねて素線１２とし、この素線１２を７本、普通に撚り合せた心線Ａと、心線１１として、直径０．１５ｍｍのスチールコード１２１を７本束ねて素線１２とし、この素線１２を３本、普通に撚り合せた心線Ｂとを使用した。尚、充填材１４としてポリウレタンを使用した。
また、比較品には、心線Ａ及び心線Ｂに、充填材１４を使用しないものを選んだ。
試験条件として、心線Ａには、２Ｎ〜３９Ｎの荷重を、心線Ｂには、２Ｎ〜３６Ｎの荷重を夫々に負荷した。
心線の種類 試験サンプル 資料Ｎｏ 伸び率（％）
心線Ａ      本発明品          １        ０．０６
２        ０．０７
３        ０．０６
本発明品の平均                ０．０６
比較品          １        ０．０８
２        ０．０９
３        ０．０９
比較品の平均                ０．０９
心線Ｂ      本発明品          １        ０．０９
２        ０．０９
３        ０．０７
本発明品の平均                ０．０８
比較品          １        ０．１１
２        ０．１０
３        ０．１０
比較品の平均                ０．１０
この試験結果から明らかの様に、本発明品の心線Ａ単体では、従来品（比較品）に比べ、約３３％の伸びが減少し、本発明品の心線Ｂ単体では、従来品（比較品）に比べ、約２０％の伸びが減少した。
【００２３】
また、本発明は上述の発明を実施するための最良の形態に限らず本発明の要旨を逸脱することなくその他種々の構成を採り得ることはもちろんである。
【符号の説明】
【００２４】
１    歯付ベルト
２    歯部
３    試験装置
１１  心線
１２  素線
１３  本体
１４  充填材
１５  織布
【図１】
2010185487.tif 000003
【図２】
2010185487.tif 000004
【図３】
2010185487.tif 000005
【図４】
2010185487.tif 000006
【図５】
2010185487.tif 000007